(57)【要約】【課題】動作の信頼性が高い解錠機構を有するクレセント錠を備えた開口部装置を提供する。【解決手段】建物開口部の４辺に沿って取り付けられた枠体と、該枠体の内側に配置された障子２０、３０と、該障子の一対の召し合わせ框２３、３４に取り付けられたクレセント錠４０とを備えた開口部装置１であって、クレセント錠が一対の召し合わせ框の一方の召し合わせ框３４を障子の開閉方向に室内外に貫通した板状の部材であるクレセント受け６０と、クレセント受けの室内側端部と係合離脱可能に他方の召し合わせ框に取り付けられたクレセント５０と、クレセント受けの室外側端部に設けられ、該クレセント受けと一方の召し合わせ框との係合離脱を可能とする室外側解錠装置７０と、室外側解錠装置の全部をその内側に包含し、取り外し可能に一方の召し合わせ框に取り付けられたカバー７１とを備える。【選択図】図２
2007162397.tif 000002
【特許請求の範囲】
【請求項１】
建物開口部の４辺に沿って取り付けられた枠体と、該枠体の内側に配置された障子と、該障子の一対の召し合わせ框に取り付けられたクレセント錠とを備えた開口部装置であって、
前記クレセント錠が、
前記一対の召し合わせ框の一方の召し合わせ框を前記障子の開閉方向に室内外に貫通した板状の部材であるクレセント受けと、
前記クレセント受けの室内側端部と係合離脱可能に他方の召し合わせ框に取り付けられたクレセントと、
前記クレセント受けの室外側端部に設けられ、該クレセント受けと前記一方の召し合わせ框との係合離脱を可能とする室外側解錠装置と、
前記室外側解錠装置の全部をその内側に包含し、取り外し可能に前記一方の召し合わせ框に取り付けられたカバーと、を備える開口部装置。
【請求項２】
前記カバーが、コの字型断面を有し、
前記室外側解錠装置の全部、及び前記クレセント受けの室外側端部を前記カバーの内側に包含するとともに、前記コの字型断面の開口部を前記一方の召し合わせ框で塞ぐように取り付けられることを特徴とする請求項１に記載の開口部装置。
【請求項３】
前記クレセント受けが、室外側端部に室内外方向に貫通した貫通孔を有し、
前記室外側解錠装置が、前記貫通孔、及び前記一方の召し合わせ框の一部に設けられた貫通孔である框孔にその回動の姿勢により貫通が許容又は禁止される回動自在に配設された軸を備え、
通常時には、前記軸の一端が前記貫通孔、及び前記框孔を貫き、該軸により前記クレセント受けと前記一方の召し合わせ框とが係合状態とされ、
非常時には、前記カバーを取り外すとともに前記軸を室外側から回動操作することにより、前記貫通孔及び前記框孔から該軸が離脱し、前記クレセント受けと前記一方の召し合わせ框とが離脱状態とされることを特徴とする請求項１又は２に記載の開口部装置。
【請求項４】
前記クレセント受けが前記障子の開閉方向に分割された２つのクレセント受けを有し、
前記クレセント受けの室内側端部が前記障子の開閉方向に移動可能に取り付けられていることを特徴とする請求項１〜３のいずれか１項に記載の開口部装置。
【発明の詳細な説明】
【技術分野】
【０００１】
本発明は、オフィスビルやマンション、戸建、公共施設等の建物の開口部に配置されるクレセント錠を備えた開口部装置に関し、詳しくは、火災等の緊急時に室外側から解錠することのできるクレセント錠を備えた開口部装置に関する。
【背景技術】
【０００２】
現在、高層建物やその他特殊な建物に関しては消防法により、火災等の緊急時に室外から室内へ進入するための手段が講じられていることを要する。これは消防及び救出活動を円滑に行うためである。従来においてはその手段として例えば窓の局部を破壊し、その部分から手を入れて室内側の施錠装置を解錠することができる構造としておく等があった。
【０００３】
ところが、近年における窓に対する、例えば断熱性や遮音性向上等の要求により、窓の局部を破壊することができる構造とすることが困難な場合が生じてきた。断熱性や遮音性を向上させるために窓のパネルを厚くしたり、２重にしたりすることがその原因として挙げられる。
【０００４】
かかる問題を解決するため、クレセント錠を備えた施錠装置では、室外側からの操作でクレセント受けを召し合わせ框から離脱可能にすることにより室外側からクレセント錠を解錠する構造が特許文献１〜３に開示されている。特許文献１は、クレセント錠の施錠状態において、室外側に露出して配置されたピンを押し込むことによりクレセント受けが召し合わせ框から離脱可能となり、その状態で窓の障子を操作することにより障子を解放することができるクレセント錠を開示している。
【０００５】
特許文献２は、クレセント錠の施錠状態において室外側に露出して配置された抜き止め用部材を引き抜くことによりクレセント受けが召し合わせ框から離脱可能となり、結果として解錠状態となるクレセント錠を開示している。
【０００６】
また、特許文献３はクレセント錠の施錠状態において室外側に露出して配置されたビスの端部をハンマー等で叩いて該ビスを破壊することによりクレセント受けが召し合わせ框と離脱可能となり、結果として解錠状態となるクレセント錠を開示している。
【０００７】
【特許文献１】実開平５−９６３４８号公報
【特許文献２】実用新案登録第２５５９８９８号公報
【特許文献３】特開平９−２５７４７号公報
【発明の開示】
【発明が解決しようとする課題】
【０００８】
しかし、特許文献１〜３のクレセント錠ではいずれも室外側の操作部が室外に露出しているため、緊急時でないときに例えば不注意やいたずらによって操作されてクレセント受けが召し合わせ框から離脱してしまい、解錠状態となる問題があった。これに加え、操作部が露出した部位から雨水が浸入して劣化し、機構が動作しない虞もあった。
【０００９】
また、特許文献１〜３に記載されたクレセント錠では、該クレセント錠を召し合わせ框から容易に離脱させることを目的としているために、クレセント受けと召し合わせ框とを離脱状態にするためのピン等とクレセント受けとの係合が弱い問題があった。これは、施錠状態でいずれかの理由により障子の開閉方向に大きな力がかけられた場合に、当該係合が弱いことにより、通常時においてもクレセント受けが召し合わせ框から離脱してしまう虞を生じるものであった。
【００１０】
さらに、開口部装置の施工時にクレセントとクレセント受けとの位置関係の調整をすることができない構造となっている問題があった。
【００１１】
また、特許文献３に記載のクレセント錠にあっては、一度ビスを破壊してしまうと復旧に多くの時間と費用がかかる問題もあった。
【００１２】
そこで本発明は動作の信頼性が高い解錠機構を有するクレセント錠を備えた開口部装置を提供することを課題とする。
【課題を解決するための手段】
【００１３】
以下、本発明について説明する。なお、本発明の理解を容易にするために添付図面の参照符号を括弧書きにて付記するが、それにより本発明が図示の形態に限定されるものではない。
【００１４】
請求項１に記載の発明は、建物開口部の４辺に沿って取り付けられた枠体（１０）と、該枠体の内側に配置された障子（２０、３０）と、該障子の一対の召し合わせ框（２３、３４）に取り付けられたクレセント錠（４０）とを備えた開口部装置（１）であって、クレセント錠が一対の召し合わせ框の一方の召し合わせ框（３４）を障子の開閉方向に室内外に貫通した板状の部材であるクレセント受け（６０）と、クレセント受けの室内側端部と係合離脱可能に他方の召し合わせ框に取り付けられたクレセント（５０）と、クレセント受けの室外側端部に設けられ、該クレセント受けと一方の召し合わせ框との係合離脱を可能とする室外側解錠装置（７０）と、室外側解錠装置の全部をその内側に包含し、取り外し可能に一方の召し合わせ框に取り付けられたカバー（７１）とを備える開口部装置を提供することにより前記課題を解決する。
【００１５】
ここで、開口部装置の形態は、クレセント錠が備えられるものであれば特に限定されるものではない。これには例えば引き違い窓等を挙げることができるが、窓が上下にスライドする形態であっても良い。いずれにおいてもクレセント錠を備えるあらゆる形態の開口部装置を本発明の開口部装置とすることができる。
【００１６】
また、障子１枚から構成されている窓であってもクレセント錠が設けられるものであれば本発明の開口部装置とすることができる。この場合にはクレセント受けは必ずしも召し合わせ框ではなく、壁の端部等に取り付けられる場合もあるが、本発明の開口部装置ではかかる場合も含むものとする。
【００１７】
請求項２に記載の発明は、請求項１に記載の開口部装置（１）のカバー（７１）がコの字型断面を有し、室外側解錠装置（７０）の全部、及びクレセント受け（６０）の室外側端部をカバーの内側に包含するとともに、コの字型断面の開口部を前記一方の召し合わせ框（３４）で塞ぐように取り付けられることを特徴とする。
【００１８】
請求項３に記載の発明は、請求項１又は２に記載の開口部装置（１）のクレセント受け（６０）が、室外側端部に室内外方向に貫通した貫通孔（６２ｂ）を有し、室外側解錠装置（７０）が貫通孔、及び一方の召し合わせ框（３４）の一部に設けられた貫通孔である框孔にその回動の姿勢により貫通が許容又は禁止される回動自在に配設された軸（７２）を備え、通常時には、軸の一端が貫通孔、及び框孔を貫き、該軸によりクレセント受けと一方の召し合わせ框とが係合状態とされ、非常時には、カバー（７１）を取り外すとともに軸を室外側から回動操作することにより、貫通孔及び框孔から該軸が離脱し、クレセント受けと一方の召し合わせ框とが離脱状態とされることを特徴とする。
【００１９】
請求項４に記載の発明は、請求項１〜３のいずれか１項に記載の開口部装置（１）のクレセント受け（６０）が障子（２０、３０）の開閉方向に分割された２つのクレセント受け（６１、６２）を有し、クレセント受けの室内側端部が障子の開閉方向に移動可能に取り付けられていることを特徴とする。
【発明の効果】
【００２０】
請求項１に記載の発明によれば、クレセント受けが、クレセントが備えられていない側からも解錠をすることができる構造とされている。そしてその操作部は通常時においてカバーの内側に収められているので、誤って操作されることもない。よって信頼性の高いクレセント錠を有する開口部装置を提供することができる。
【００２１】
請求項２に記載の発明によれば、クレセント受けの操作部及びクレセント受けの端部の全てがカバーの内側に含まれ、さらにカバーの開口部が框によって塞がれるので、気密水密に優れた開口部装置を提供することができる。また、これにより、雨水の侵入を防止し、カバーの内側に配置された軸やクレセント受けの劣化を防ぎ、非常時において確実に動作可能な開口部装置を提供することができる。
【００２２】
請求項３に記載の発明によれば、通常時においてクレセント受けは軸によって直接的に框と係合しているので、係合する力を向上させることができ、障子の開閉方向にいずれかの理由により大きな力がかけられた場合でも係合がはずれる虞がなく、信頼性の高い開口部装置を提供することができる。また、非常時には、カバーをはずし、軸を回転させるのみで容易にクレセント受けを召し合わせ框から離脱することができ、操作性に優れた開口部装置とすることができる。
【００２３】
さらには、非常事態の解消後に開口部装置の復旧をする際にも再度軸をクレセント受け及び召し合わせ框に係合させれば良く、すぐに施錠装置としての機能を復旧させることができる。かかる観点からも利便性に優れた開口部装置を提供することが可能である。
【００２４】
請求項４の発明によれば、さらにクレセント受けとクレセントとの位置関係を施工後においても微調整することができ、施工性に優れた開口部装置を提供することができる。
【００２５】
本発明のこのような作用及び利得は、次に説明する発明を実施するための最良の形態から明らかにされる。
【発明を実施するための最良の形態】
【００２６】
以下本発明を図面に示す実施形態に基づき説明する。
【００２７】
図１は、１つの実施形態にかかる本発明の開口部装置１を室内側から見た斜視図である。開口部装置１は、建物開口部の４辺に沿って取り付けられた枠体１０と、該枠体１０の内側に配置される障子２０、３０と、該障子２０、３０に取り付けられたクレセント錠４０とを備えている。さらに詳しくは、枠体１０は、横枠１１、１２と縦枠１３、１４とが組み合わされて形成されている。また、障子２０、３０は、それぞれガラスパネル２５、３５と、該ガラスパネル２５、３５の４辺に取り付けられた框２１、２２、２３、２４、３１、３２、３３、３４とを備えている。さらに障子２０、３０は引き違い窓を形成し、框２３と框３４とは一対の召し合わせ框とされている（以降、該一対の召し合わせ框のそれぞれは「框２３」及び「框３４」と記載する。）。
【００２８】
そしてクレセント錠４０は框２３、３４に取り付けられ、開口部装置１の施解錠状態を決める。クレセント錠４０の構造については後で詳しく説明する。
【００２９】
開口部装置１の施解錠は通常時には、室内側からクレセント錠４０を操作することにより行う。よってこのときには室外側からクレセント錠４０を操作することはないが、非常時には後述するクレセント錠４０の構造により室外側からも解錠することができる。これによって非常時において例えば消防隊等が円滑に室内に進入することができ、人命救助活動等をすることができる。
【００３０】
本実施形態では、２枚の障子２０、３０を有する開口部装置１としているが、これが４枚の障子から構成されている開口部装置でも良い。この場合は４枚の障子が２対以上の召し合わせ框を有するときには少なくとも１対の召し合わせ框で室外側から解錠することができればよい。また、左右にスライドする形式の開口部装置ではなく、上下にスライドする開口部装置でも本発明の開口部装置とすることができる。いずれにおいてもスライド形式の窓であり、クレセント錠を備えた開口部装置であれば本発明の開口部装置とすることができる。
【００３１】
図２は、図１におけるクレセント錠４０を含み、該クレセント錠４０の周辺に注目して示した開口部装置１の水平断面図である。図２では、クレセント錠４０が施錠状態にある場合を示し、紙面上が室外側、紙面下が室内側である。また、見易さのためクレセント錠４０のみを実線で表し、他の部材は破線で表している。
【００３２】
クレセント錠４０は、室内側に配置されたクレセント５０と、障子２０、３０の開閉方向に框３４を室内外に貫通して配置されたクレセント受け６０と、室外側に配置された室外側解錠装置７０とを備えている。施錠状態において、クレセント５０及び室外側解錠装置７０は、クレセント受け６０の両端にそれぞれ係合している。各部材の配置については後で詳しく説明する。
【００３３】
クレセント５０は、通常のクレセント錠に使用されるクレセントと同様、掛止部５１と基部５２とを備えている。基部５２は框２３に固定して取り付けられ、その内側には掛止部５１の回動軸、掛止部５１の回動を禁止する機構等を有している。掛止部５１は、基部５２から障子２０の開閉方向に延在する軸を中心に回動することができる部材であり、回動の姿勢により掛止部５１の掛止片５１ａがクレセント受け６０に係合又は離脱し、室内側からの施解錠を可能としている。
【００３４】
クレセント受け６０は、板状の部材で室内側受け６１と室外側受け６２とを備え、該２つの受けが固定部材６３により互いに固定されている。図３にクレセント受け６０の正面図及び上面図を示した。図３（ａ）が正面図で室内側から見たものである。図３（ｂ）が上面図である。図３ではわかり易さのため固定部材６３は省略している。室内側受け６１は、室外側受け６２に近い側の端部に上下に配置された２つの貫通孔６１ａ、６１ａを備えている。また、該貫通孔６１ａ、６１ａとは反対側の端部には、返し部６１ｂが設けられている。
【００３５】
一方、室外側受け６２には、図３からわかるように室内側受け６１に近い側の端部に水平方向を長軸とした長孔６２ａ、６２ａが設けられている。該長孔６２ａ、６２ａは上述の室内側受け６１の貫通孔６１ａ、６１ａに対応する位置に配置されている。また、長孔６２ａ、６２ａが設けられた端部とは反対側の端部には垂直方向を長軸とする長孔６２ｂが１つ設けられている。
【００３６】
室内側受け６１と室外側受け６２とは、貫通孔６１ａ、６１ａ及び長孔６２ａ、６２ａを貫通した固定部材６３、６３（図２参照）により固定される。このとき長孔６２ａ、６２ａは水平方向に長軸を有しているので、室内側受け６１と室外側受け６２とは固定部材６３、６３の固定する力を緩めることにより相対的に左右方向に移動することができる。これによりクレセント受け６０が框３４に取り付けられた後でも室内側受け６１を障子２０、３０の開閉方向に移動することができ、クレセント５０との位置関係を微調整することができる。これにより、施工時においてその場で容易に当該微調整をすることができるので施工性を向上させることが可能となる。
【００３７】
また、図２からわかるように固定部材６３は框３４の外側に設けられ、室内側に露出するように配置されているので、さらに容易に当該微調整をすることができる。
【００３８】
次に室外側解錠装置７０について説明する。図４に図２における室外側解錠装置７０の部分を拡大して示した。また、図５には図４にＩ−Ｉで示した線における断面図、図６には図４にＩＩ−ＩＩで示した線で切断し、紙面上側から見た図を示した。以下、図４〜図６及び適宜示した図を参照しつつ室外側解錠装置７０について説明する。
【００３９】
室外側解錠装置７０は、カバー７１と、係合軸７２と、レバー７３と、弾性部材７４と、リング７５、７６とを備えている。各部材の構成を説明する。カバー７１は、断面がコの字型の部材で一方向が開口した箱体により形成されている。図７にカバー７１を示した。図７（ａ）は上面図、図７（ｂ）は正面図、図７（ｃ）は側面図である。カバー７１は図７（ａ）における紙面左側の面が開口された箱体であり、他の５つの面は壁面を有している。よって該箱体の内側に部材を収めることが可能となる。
【００４０】
また、カバー７１は図７（ｂ）からもわかるように、１つの面に貫通孔７１ｃと、該貫通孔７１ｃを囲むように刻設された環状の溝７１ｄが設けられている。図８に貫通孔７１ｃ及び溝７１ｄの部分におけるカバー７１の断面を示した。このように溝７１ｄはＶ字型の断面を有している。これによりカバー７１にいずれかの衝撃を与えたときに溝７１ｄの部位から破壊され易くなる。
【００４１】
カバー７１には、通常時には室外側解錠装置７０の各部材を保護し、非常時には叩くこと等により容易に破壊される材質を使用することができる。かかる性質を有する材料であれば特に限定されるものではない。これには汎用性やコストの観点から例えばポリスチレン（ＧＰＰＳ）を挙げることができる。これにより後述するように室外側から叩く等して溝７１ｄの部位を破壊し、容易にカバー７１を取り外すことができ、円滑な救助活動をすることができる開口部装置１を提供することが可能となる。
【００４２】
次に係合軸７２について説明する。図９に係合軸７２を示した。図９（ａ）が正面図、図９（ｂ）が側面図である。このように係合軸７２は、全体として円形断面を有する軸状の部材である。より詳しくは、係合軸７２は一部が切り欠かれた円板状部材である係合部７２ａと、円柱状の部位である円柱部７２ｂ、７２ｄと、該円柱部７２ｂ、７２ｄに沿って刻設された溝７２ｃとを備えている。
【００４３】
係合部７２ａは係合軸７２の一端に設けられ、図９（ａ）からわかるように正面視で図３（ａ）に示した長孔６２ｂと略同一の形状を有している。そしてその大きさは、該長孔６２ｂより若干小さく形成されている。また、図９（ｂ）からわかるように係合部７２ａは一部が円柱部７２ｂより大きく形成されている。この構成により、係合部７２ａが長孔６２ｂと同じ方向に配置されたときには係合軸７２は、長孔６２ｂの内側を貫通して出入り自由となり、逆に係合部７２ａが長孔６２ｂとが異なる方向に配置されたときには係合軸７２は長孔６２ｂの内側を貫通して出入りすることができない。
【００４４】
次に図４〜図６を参照しつつ、室外側解錠装置７０における各部材の配置について説明する。ここでは、室外側解錠装置７０がクレセント受け６０及び框３４に係合している場合の配置を説明する。係合軸７２は、係合部７２ａを室内側に向けて室内外方向に平行とされる。そして係合部７２ａは框３４の一部である延設部３４ａ及びクレセント受け６０の長孔６２ｂを貫通して室内側に配置される。このとき長孔６２ｂと係合部７２ａとは向きが一致しないように角度を有して配置される。これにより係合軸７２は上述のように、長孔６２ｂの内側を通り抜けることができず、室外側へ抜けることなく取り付けられる。また、かかる構成により、軸状の部材が直接的にクレセント受け６０及び框３４に強く係合しているので、施錠時においてクレセント受け６０に障子２０、３０の開閉方向に力が負荷された場合にも離脱することがない。よって信頼性の高い開口部装置１とすることが可能となる。
【００４５】
さらに框３４の延設部３４ａの室外側で、係合軸７２の溝７２ｃにはリング７５、７６が嵌めこまれている。そして該リング７５、７６と延設部３４ａとの間に弾性部材７４が室内外方向に広がるように付勢されつつ取り付けられている。かかる構成により、係合軸７２は通常時、室外側に付勢されているが、係合部７２ａがクレセント受け６０と係合していることによりこの姿勢を保持している。そして、係合軸７２がクレセント受け６０から離脱可能となると、弾性部材７４の付勢により該係合軸７２が室外側に自動に移動される。よって、操作者は、係合軸７２を室外側に引き抜く必要がなく操作が容易である。
【００４６】
加えて係合軸７２の室外側端部にはレバー７３が取り付けられている。レバー７３は図６からわかるように下方に延設された把手７３ａを有している。操作者は該把手７３ａを掴み、回動させることにより操作することができるので円滑に係合軸７２を長孔６２ｂから離脱させることができ、円滑な救助活動をすることが可能となる。
【００４７】
以上のように取り付けられた、係合軸７２、レバー７３、及びクレセント受け６０の端部を覆うようにカバー７１が取り付けられる。このときカバー７１の開口部を框３４により塞ぐようにする。そしてカバー７１の固定はカバー７１に設けられた貫通孔７１ｃを貫通したねじ等の固定部材７１ｂ（図４参照）を框３４の延設部３４ａに取り付けることにより行われる。
【００４８】
カバー７１のかかる配置により係合軸７２、レバー７３、及びクレセント受け６０の端部がカバー７１の内側に収まり、通常時に誤って操作されることを防止することができる。また、カバー７１の開口部は框３４で塞がれるように配置されているので、気密水密が保持され、雨水等の浸入による部材の劣化等を防止することができる。これにより信頼性を向上させることが可能である。さらには、気密が優れることにより快適な室内空間が維持される。
【００４９】
また、一度室外側からクレセント錠４０が解錠された場合にも、再び係合軸７２をクレセント受け６０及び框３４に係合すれば良く、解錠状態を係合状態に容易に戻すことができる。これにより非常事態が解消された後にもすぐに通常状態に復旧することができ、利便性の高い開口部装置１を提供することが可能である。
【００５０】
以上のように本発明の開口部装置１に備えられた室外側解錠装置７０により、該開口部装置１は操作性、信頼性、快適性及び利便性に優れたものとなる。
【００５１】
次にクレセント５０、クレセント受け６０及び室外側解錠装置７０の配置について図２を参照しつつ説明する。クレセント受け６０は上述のように框３４を障子２０、３０の開閉方向に室内外に貫通して配置されている。この状態ではクレセント受け６０は框３４に固定されていない。クレセント受け６０の框３４への固定は、上述のように室外側解錠装置７０の係合軸７２によって行われ、この部位によってのみクレセント受け６０と框３４とは固定されている。これにより、室外側解錠装置７０を操作するのみで、クレセント錠４０を解錠することができ、他の部位を外す等の操作を必要としないので、円滑な救助活動をすることができる。
【００５２】
一方、室内側にはクレセント５０が設けられる。これにより通常時には一般的な通常のクレセント錠と同様の操作で障子の施解錠をすることができる。
【００５３】
次にクレセント錠４０が室外側から解錠される手順の一例を説明する。該説明は図２を参照しつつ、適宜示した図により行う。図２のように室内側のクレセント５０が施錠状態、室外側解錠装置７０も係合状態にある場合において、非常時に室外側からクレセント錠４０を解錠する。この場合初めに操作者は室外側からカバー７１を叩く等してカバー７１を破壊して取り外す。このときカバー７１には上述のように溝７１ｄが刻設されているので、この部位から壊れ易くされている。これにより円滑な操作が可能となる。
【００５４】
次にカバー７１を取り外したことにより室外側に露出したレバー７３（図６参照）の把手７３ａを掴み、時計方向に回動させる。これにより上述したように係合軸７２の係合部７２ａとクレセント受け６０の長孔６２ｂの方向が一致し、弾性部材７４の作用により係合軸７２がクレセント受け６０から離脱する。そしてクレセント受け６０と框３４とは係合状態を脱し、障子２０、３０を解放することができる。
【００５５】
また、非常事態が解消した後には、上述した手順を遡るように操作することにより再びクレセント受け６０と框３４とを固定することができる。
【００５６】
このように本発明の開口部装置１により円滑な救助活動をすることができ、非常事態の解消後にもすぐに施錠装置として使用することが可能である。
【００５７】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置も本発明の技術的範囲に包含されるものとして理解されなければならない。
【図面の簡単な説明】
【００５８】
【図１】本発明の１つの実施形態にかかる開口部装置の室内側斜視図である。
【図２】本発明の開口部装置におけるクレセント錠の部位に注目して示した水平断面図である。
【図３】クレセント受けの正面図及び上面図である。
【図４】図２で示した断面図の室外側解錠装置部分を拡大して示した図である。
【図５】図４のＩ−Ｉ線における断面図である。
【図６】図４のＩＩ−ＩＩ線で切断して図４の紙面上方側から見た図である。
【図７】カバーの上面図、正面図及び側面図である。
【図８】カバーの貫通孔及び溝の断面図である。
【図９】係合軸の正面図及び側面図である。
【符号の説明】
【００５９】
１  開口部装置
１０  枠体
２０  障子
２１  框
２２  框
２３  框
２４  框
２５  ガラスパネル
３０  障子
３１  框
３２  框
３３  框
３４  框
３５  ガラスパネル
４０  クレセント錠
５０  クレセント
６０  クレセント受け
７０  室外側解錠装置
７１  カバー
７２  係合軸
７３  レバー
７４  弾性部材
７５  リング
７６  リング
【図１】
2007162397.tif 000003
【図２】
2007162397.tif 000004
【図３】
2007162397.tif 000005
【図４】
2007162397.tif 000006
【図５】
2007162397.tif 000007
【図６】
2007162397.tif 000008
【図７】
2007162397.tif 000009
【図８】
2007162397.tif 000010
【図９】
2007162397.tif 000011